(57)【要約】【課題】  空気通路８を流れる被処理空気の温度を殆ど上昇させることなく加湿パンへの着霜を防止でき、人工造雪装置などの低温加湿空気を要する装置に連続的に安定して低温加湿空気を供給することができるようにする。【解決手段】  空気通路を流過する氷点下の空気に加湿する加湿パン１の、空気通路における空気の下流側の縁部や、加湿パン底部に接続した排水管４ａの基部などの所要部位に、同加湿パン内の加湿用水７の熱を伝導せしめて、この加湿用水の熱により着霜を防止する構成とした。【選択図】  図１
2008116074.tif 000002
【特許請求の範囲】
【請求項１】
空気通路を流過する氷点下の空気に加湿する加湿パンの所要部位に、同加湿パン内の加湿用水の熱を伝導せしめる加湿パンの着霜防止方法。
【請求項２】
前記所要部位を、加湿パンの空気通路における空気の下流側の縁部としてなる請求項１に記載の加湿パンの着霜防止方法。
【請求項３】
前記所要部位を、加湿パン底部に接続した排水管の基部としてなる請求項１に記載の加湿パンの着霜防止方法。
【請求項４】
前記加湿パンの外面を断熱材で覆うが、前記所要部位は断熱材を設けない不覆着部分とすることを特徴とする請求項１乃至３に記載の加湿パンの着霜防止方法。
【請求項５】
前記加湿パンの外面を断熱材で覆い、かつ前記所要部位を覆う伝熱材を設けることを特徴とする請求項１乃至３に記載の加湿パンの着霜防止方法。
【請求項６】
前記伝熱材の一部を、加湿パン内の加湿用水に接触するように設けることを特徴とする請求項５に記載の加湿パンの着霜防止方法。
【請求項７】
前記加湿パンにヒータを設けて、加湿用水の温度が所定の温度以下になるとその間だけ加熱を行うようにすることを特徴とする請求項１乃至６に記載の加湿パンの着霜防止方法。
【発明の詳細な説明】
【技術分野】
【０００１】
本発明は氷点下の空気を加湿する加湿パンへの着霜防止方法に関し、より詳しくは、人工造雪装置の造雪部へ氷飽和以上の低温加湿空気を供給する加湿手段に好適な加湿パンの着霜防止方法に関する。
【背景技術】
【０００２】
人工造雪装置の造雪部等の低温加湿空気を要するものでは、造雪部に供給する氷点下の空気に、その供給路に設けた加湿パンにおいて４０℃以下の水温設定をした低水温の水から水分を供給し、氷飽和以上の低温湿り空気となして造雪部に供給する構成のものがある（例えば、特許文献１参照）。
【０００３】
しかしながら、加湿パンまわりを通過する氷点下の空気が加湿パン内の水から蒸発した水分を含み氷飽和以上に湿ると、この加湿パンにおける空気の流れの下流側に位置する縁部に霜が着霜して次第に成長し、やがて加湿パン内の水に接触して加湿パン内の加湿用水を吸い上げ、加湿パンの外部に漏れ出したり、この漏れ出した水が氷点下の空気に触れて結氷して通風を阻害したりして、装置が安定運転できなくなるおそれがある。
【０００４】
また、加湿用水と空気との接触を促進すべく加湿パンを多段に配設する場合があるが、この場合下段の加湿パン内の水から蒸発した水分を含んで氷飽和以上に加湿された空気が上段の加湿パンにおける排水管に接触して結氷し、排水管に着霜した霜が次第に成長して加湿パン内の加湿用水に接触する恐れもある。
【０００５】
そして、装置の安定運転確保のため、加湿パンの外部に漏れ出し結氷した氷塊を除去する際には装置の運転の中断を余儀なくされる。
【０００６】
【特許文献１】特許第３３９７５８２号公報（第１〜５頁、図１〜５）
【発明の開示】
【発明が解決しようとする課題】
【０００７】
本発明は、加湿パンへの着霜を防止でき、人工造雪装置などの低温加湿空気を要する装置に連続的に安定して低温加湿空気を供給することができるようにすることを目的としている。
【課題を解決するための手段】
【０００８】
上述した課題を解決するために、本発明に係る加湿パンの着霜防止方法は、空気通路を流過する氷点下の空気に加湿する加湿パンの所要部位に、同加湿パン内の加湿用水の熱を伝導せしめる構成としてある。
【０００９】
そして、前記所要部位を、加湿パンの空気通路における空気の下流側の縁部や、加湿パン底部に接続した排水管の基部とした構成としてある。
【００１０】
また、前記加湿パンの外面を断熱材で覆うが、前記所要部位は断熱材を設けない不覆着部分としたり、あるいは前記所要部位を覆う伝熱材を設けて、この記伝熱材の一部を、加湿パン内の加湿用水に接触するように設けたりすることを特徴としている。
【００１１】
さらに、前記加湿パンにヒータを設けて、加湿用水の温度が所定の温度以下になるとその間だけ加熱を行うようにする構成としてある。
【発明の効果】
【００１２】
本発明方法によれば、着霜しやすい加湿パンの縁部や排水管の基部などの所要部位に加湿用水の熱が伝達され、この熱によって着霜が防止される。
【００１３】
したがって、付着した霜が加湿用水を吸い上げて氷塊が発生したり、漏水を起こしたりという従来の問題が解消され、安定した装置の運転を達成することができ、しかも氷塊の除去等の装置の運転を中断させるような作業の必要がほとんどなくなり、装置の信頼性の向上も期すことができる。
【００１４】
またヒータを備えるものでは、着霜防止作用をより確実に奏し得るが、加湿用水の温度が低い場合にだけヒータを作用されるので、低温加湿空気の温度を無駄に上昇せしめたり、ヒータ用の熱エネルギーを可及的小ならしめたりすることができる。
【発明を実施するための最良の形態】
【００１５】
以下、本発明方法の実施例を添付図面に示す加湿パンの具体例に基づいて詳細に説明する。
図１に示す加湿パン１は、加湿パン本体２の外面のほぼ全体に断熱材５を設けてあるが、開口縁部２ａ付近の外面には断熱材５を覆着しない不覆着部分を設けてあって、内部の加湿用水７が有する熱が、加湿パン本体２における断熱材の不覆着部分に伝達して氷結しない温度に保たれており、霜の生成、成長を防止してある。
【００１６】
また図２に示す加湿パン１は、図１に示す加湿パン１内の加湿用水７が蒸発した水分を含んで氷飽和以上に加湿された空気が通過する部分となる縁部２ａ付近の外面を着霜防止の所要部位としてあって、この所要部位を、断熱材５を覆着しない不覆着部分としてある。
【００１７】
そして、上述した断熱材の不覆着部分は、縁部２ａから加湿用水の水面よりも低い位置までとなるように構成してある。
【００１８】
また図３、４に示す加湿パン１は、上述のように断熱材の不覆着部分を設けるのに代えて、空気の下流側となる縁部２ａに、伝熱材６を設けてある。
【００１９】
上記伝熱材６は、一部、具体的には加湿パン本体２の内側の下端辺部が加湿用水７内に臨んで浸るようにしてあって、縁部２ａから断熱材５の外側にまわり込んで縁部を広く包むように構成してあり、加湿用水７の熱が伝熱材６を伝導して縁部２ａまわりを着霜しない温度に維持している。
【００２０】
そして、本実施例で示している加湿パン１は、加湿用水７の温度を一定に保つ目的で循環させる構成としてあり、加湿パン内から加湿用水をオーバーフローさせて排出する排水管４ａを備えていて、この排水管においても、図１、２に示すように、排水管４ａの加湿パン１付近に断熱材５ａを覆着しない不覆着部分を設けたり、さらに図３、４のように不覆着部分の排水管４ａの周囲を伝熱材６ａで覆ったりして、排水管４ａ内を流下する加湿用水７の熱が、この伝熱材６ａを介して伝達されて着霜できない温度に保たれるように構成してある。
【００２１】
したがって図５に示すように、加湿パン１が多段に配設される非処理空気の空気通路たる加湿室８で使用される場合、下段の加湿パン１で氷飽和以上に加湿された空気が、周囲を伝熱材６ａで覆着する排水管４ａまわりを通過しても、排水管４ａは加湿用水によって着霜しない温度に保たれているので、排水管４ａ（伝熱材６ａ外面）への霜の付着が防止される。
【００２２】
また、図６は加湿パン１にヒータ９、９を設けた例を示しており、このヒータは加湿用水７水温に応じてＯＮ／ＯＦＦ制御がなされるように構成してあり、加湿用水の温度が予め設定された温度以下となると、ＯＮとなり、ヒータによる加熱に伴ってあるいは外部要因によって加湿用水の温度が上記設定された温度よりも上昇するとＯＦＦとなるようにしてある。
【００２３】
このヒータによる加熱は、加湿用水の加温を目的とするものではなく、加湿用水の温度が低くて、加湿用水から得られる着霜防止用の熱が不足する場合にこの熱を補うためのものである。
【００２４】
なお、上記ヒータ９、９は電熱ヒータとする場合もあるし、その他冷凍機からの高温冷媒やブライン等の熱媒体を利用する場合もある。
【００２５】
上述した実施例における各図中の符号３は、加湿パン１内に循環供給される加湿用水７の給水口であり、また符号３ａは、前記加湿用水７の給水管を示している。
【００２６】
また、前記加湿パン本体２の材質は常に加湿用水に接するので防錆に優れるステンレス材を用いるのが好適であり、伝熱材６には熱伝導に優れる銅材を使用するのが望ましい。
【図面の簡単な説明】
【００２７】
【図１】本発明に係る加湿パンの一例を示す斜視図。
【図２】本発明に係る加湿パンの一例を示す斜視図。
【図３】本発明に係る加湿パンの一例を示す斜視図。
【図４】図３のＩ−Ｉ線断面図。
【図５】加湿室内における加湿パンの配置を示す側面図。
【図６】ヒータを設けた加湿パンの一例を示す断面図。
【符号の説明】
【００２８】
１  加湿パン
２  加湿パン本体
２ａ  縁部
３  給水口
３ａ  給水管
４  排水口
４ａ  排水管
５  断熱材
５ａ  断熱材
６  伝熱材
６ａ  伝熱材
７  加湿用水
８  加湿室
９  ヒータ
【図１】
2008116074.tif 000003
【図２】
2008116074.tif 000004
【図３】
2008116074.tif 000005
【図４】
2008116074.tif 000006
【図５】
2008116074.tif 000007
【図６】
2008116074.tif 000008